(57)【特許請求の範囲】
【請求項１】
液体の流路の途中に設けられる炭酸泉製造装置、気体混入装置、浄水装置の何れかの液流通型装置が内蔵される筐体であって、内蔵された前記液流通型装置に接続されるホースが装着される口、および、前記液流通型装置が挿入される開口を備えた第１ケース部材と、この第１ケース部材の開口に、内蔵される前記液流通型装置を覆うようにして着脱可能に取り付けられる第２ケース部材とを備え、前記第１ケース部材と前記第２ケース部材の少なくとも何れか一方には、棒状の設置対象の外周に当接する嵌合凹部が設けられ、この嵌合凹部には、前記設置対象の直径に合わせて前記嵌合凹部の径を調節する径調節部材が設けられ、この径調節部材は、内周が小径に形成された内側調節部材と、前記内側調節部材の外周に設けられる外側調節部材とを有していることを特徴とする液流通型装置の筐体。
【請求項２】
前記嵌合凹部は、前記設置対象の軸方向に沿って、少なくとも２つ以上配置されていることを特徴とする請求項１に記載の液流通型装置の筐体。
【発明の詳細な説明】
【技術分野】
【０００１】
本発明は、液体の流路の途中に設けられる液流通型装置の筐体に関する。
【背景技術】
【０００２】
近年、浴室で使用する水の質を向上させるために、浴室内に浄水装置や炭酸泉製造装置を設置することが行われている。しかしながら、一般家庭における浴室のスペースは限られているため、装置本体を設置する場所を確保することが難しいという問題があった。このような問題に対し、従来から浴室の壁内や壁面に装置本体を設けることが行われている（例えば、特許文献１、特許文献２）。
【０００３】
特許文献１には、浴室の洗い場において邪魔にならないように設けられ、かつ、充分な浄水能力をもつ浄水器を備えた浴室ユニットの技術が記載されている。この浴室ユニットでは、浄水器（５）を壁内（３１）や床下に設置することにより、洗い場床（２）の実質的床面は広く使用することができ、洗い場床（２）の上で椅子に腰掛けて体を洗う際に、浄水器（５）が足にあたって邪魔になるようなことはないし、上記洗い場床（２）の床拭きの妨げにもならないことが記載されている。
【０００４】
特許文献２には、簡単な構造にて一般家庭でも設置することができるようにした気体溶解水噴出装置の技術が記載されている。具体的には、温水混合栓（１）の設置面と同じ面に、気体溶解水発生器（６）の裏面に設けた係合フック部（１８）を引っ掛けるようにして固定する実施形態が開示されている。
【先行技術文献】
【特許文献】
【０００５】
【特許文献１】特開平９−１９３８４号公報
【特許文献２】実用登録新案３１４３１７６号公報
【発明の概要】
【発明が解決しようとする課題】
【０００６】
しかしながら、既存の浴室において、特許文献１に記載の浴室ユニットのように、浄水器を壁内や床下に設置するためには、浴室の大規模な工事が必要となってしまう。
また、特許文献２に記載の気体溶解水発生器のように、浴室の壁面に係合フック部で引っ掛ける場合には、壁面に係合フックが引っ掛る凹部を工事等で形成する必要がある。
このように、既存の浴室において、特許文献１・２の技術を適用しようとすると、浴室の壁や床等に施工が必要となってしまうという問題があった。
【０００７】
本発明は、上記問題に鑑みてなされた発明であり、浴室を工事することなく、装置を容易に使用者の邪魔にならない箇所へ設置可能なよう構成した液体流通装置の筐体を提供することを課題とする。
【０００８】
上記課題を解決するため、本発明に係る液流通型装置の筐体は、液体の流路の途中に設けられる装置の筐体であって、前記装置が設けられた第１ケース部材と、その第１ケース部材に着脱可能に取り付けられる第２ケース部材と、を備え、前記第１ケース部材と前記第２ケース部材の少なくとも何れか一方には、棒状の設置対象の外周に当接する嵌合凹部が設けられていることを特徴とする。
【０００９】
このように、第１ケース部材と、第２ケース部材とで、棒状の設置対象を挟持して固定することにより、浴室に予め設けられているスライドバーや手摺などの設置対象に固定できるよう構成されている。そのため、浴室を工事することなく、使用者の邪魔にならない位置に筐体を設置することができる。
【００１０】
本発明の好ましい実施形態では、前記嵌合凹部は、前記設置対象の軸方向に沿って、少なくとも２つ以上配置されていることを特徴とする。
このように、設置対象に当接される嵌合凹部が、設置対象の軸方向に沿って２つ以上設けられていることにより、筐体をより安定的に設置することができる。
【００１１】
本発明の好ましい実施形態では、前記嵌合凹部は、前記設置対象の直径に合わせて前記嵌合凹部の径を調節する径調節部材が設けられていることを特徴とする。
このように、径調節部材が設けられていることにより、様々な径の設置対象に適用することができる。
【００１２】
本発明の好ましい実施形態では、前記径調節部材は、内周が小径に形成された内側調節部材と、前記内側調節部材の外周に設けられる外側調節部材と、を有していることを特徴とする。
このように、内側調節部材と外側調節部材とを有していることにより、より簡単な構成で、径の調節を行うことができる。
【００１３】
本発明の好ましい実施形態では、前記第１ケース部材に着脱可能に取り付けられる板状の台座部材をさらに備えていることを特徴とする。
このように、第１ケース部材に着脱可能な台座部材をさらに備えることにより、浴室内に好ましい設置対象が設けられていない浴室にも設置することができる。
【００１４】
本発明の好ましい実施形態では、前記台座部材には、前記第１ケース部材と前記第２ケース部材とで挟持される棒状部が形成されていることを特徴とする。
このように、台座部材に棒状部を形成することにより、装置を容易に取り外すことができる台座部材とすることができる。
【００１５】
本発明の好ましい実施形態では、前記装置は、炭酸泉製造装置、気体混入装置、浄水装置、の何れか一つであることを特徴とする。
本発明は、このように様々な装置に対して適用することができる。
【発明の効果】
【００１６】
本発明は、浴室を工事することなく、装置を容易に使用者の邪魔にならない箇所へ設置可能なよう構成した液体流通装置の筐体を提供することができる。
【図面の簡単な説明】
【００１７】
【図１】本発明の実施形態１に係る液流通型装置の筐体を設置対象に設置した様子を示す斜視図である。
【図２】本発明の実施形態１に係る液流通型装置の筐体の分解斜視図である。
【図３】本発明の実施形態１に係る液流通型装置の筐体の嵌合凹部の分解斜視図である。
【図４】本発明の実施形態２に係る液流通型装置の筐体の台座部材に第１ケース部材を取り付けた様子を示す図である。
【図５】本発明の実施形態２に係る液流通型装置の筐体の分解斜視図である。
【図６】本発明の実施形態３に係る液流通型装置の筐体の台座部材を示す図である。
【図７】本発明の実施形態３に係る液流通型装置の筐体の台座部材に第１ケース部材及び第２ケース部材を取り付けた様子を示す図である。
【発明を実施するための形態】
【００１８】
以下、本発明を図面に示した好ましい実施形態１〜３について詳細に説明する。本発明の技術的範囲は、添付図面に示した実施形態に限定されるものではなく、特許請求の範囲に記載された範囲内において、適宜変更が可能である。
【００１９】
＜実施形態１＞
本発明の実施形態１に係る液流通型装置の筐体Ａ（以下、筐体Ａともいう）は、混合栓６からシャワーヘッド７に至る液体の流路の途中に設けられ、浴室に配設された棒状の設置対象Ｒに設置可能なよう構成されている（図１参照）。この設置対象Ｒとしては、シャワーハンガー５２が取り付けられるスライドバー５や手摺（図示なし）等を例示することができる。また、図１には棒状の設置対象Ｒとして断面形状が円形の棒が示されているが、その他にも、楕円形状の棒や、四角形等の多角形状の棒を例示することができる。
【００２０】
この液流通型装置の筐体Ａは、液流通型装置（図示なし）が内蔵された第１ケース部材１と、その第１ケース部材１に着脱可能に取り付けられる第２ケース部材２と、を備えている（図２（ａ）、図２（ｂ）参照）。このように本発明に係る筐体は、第１ケース部材１と第２ケース部材２とで、設置対象Ｒの外周を挟み込むようにして両側から固定することができる。
【００２１】
第１ケース部材１は、内蔵された液流通型装置に液体を送り込む液体注入口１ａと、ガスを送り込むガス注入口１ｂと、上記液体流通装置から排出される液体を吐出する吐出口１ｃと、を有しており、液体注入口１ａには混合栓６に連通する液送ホース６１が、ガス注入口１ｂにはシャワーヘッド７に連通するシャワーホース７１が、吐出口１ｃにはガスボンベ８に連通する気送ホースが、それぞれ接続されている（図１参照）。なお、これらの接続方法としては、液密及び気密に接続可能なネジ結合方式が好ましく用いられる。
【００２２】
また第１ケース部材１は、装置部ケース１１と嵌合凹部１２を備えている。
装置部ケース１１は、液流通型装置のケースであって、取付対象Ｒの外形に沿ってＵ字状に切り取られた開口部１１ａが形成されている。
【００２３】
嵌合凹部１２は、概略半円弧状に形成されており、後述する第２ケース部材２の嵌合凹部２２と接続されることにより、設置対象Ｒを両側から挟み込むことができる（図２（ａ）、図２（ｂ）参照）。この嵌合凹部１２は、第２ケース部２の固定部材２３と接続される固定部材１３と、この固定部材１３に内接して、設置対象Ｒの直径に合わせて嵌合凹部１２の径の大きさを調節可能な径調節部材１４と、を有している。また、この嵌合凹部１２は、設置対象Ｒの軸方向に沿って２カ所設けられている。
【００２４】
固定部材１３は、概略半円弧状に形成されており、この半円弧の両方の端面には雌ネジ１３ａがそれぞれ形成されている。この雌ネジ１３ａには、後述する固定部材２３の貫通孔２３ｂに挿通された雄ネジ２３ｃが螺合され、固定部材１３、２３同士を一体に結合できるよう構成されている（図２（ａ）、図３参照）。
【００２５】
径調節部材１４は、シリコンゴム等の弾性材料によって形成されており、小径に形成された内側調節部材１５と、この内側調節部材１５の外周面に当接され、大径に形成された外側調節部材１６と、を有している（図３参照）。
【００２６】
内側調節部材１５には、設置対象Ｒの外周面に当接される当接面１５ａと、外側調節部材１６に嵌合される凸部１５ｂと、が設けられている。この当接面１５ａが形成する円の内径は２０ｍｍ〜３０ｍｍであり、小径な設置対象Ｒに設置可能なよう構成されている。
【００２７】
外側調節部材１６には、設置対象Ｒの外周面又は内側調節部材１５の外周面に当接される当接面１６ａと、内側調節部材１５の凸部１５ｂが嵌り込む内側凹部１６ｂと、固定部材１３の内周部が嵌り込む外側凹部１６ｃと、が設けられている。この当接面１６ａが形成する円の内径は３５ｍｍ〜４５ｍｍであり、大径な設置対象Ｒに設置可能なよう構成されている。
【００２８】
第２ケース部材２は、カバーケース２１と嵌合凹部２２を備えている。
カバーケース２１は、取付対象Ｒの外形の形状に沿ってＵ字状に切り取られた開口部２１ａと、嵌合凹部２２に対応する位置に形成される貫通孔２１ｂと、雄ネジ２１ｃと、を有している。
【００２９】
嵌合凹部２２は、前述した固定部材１３と結合する固定部材２３と、この固定部材２３に内接して、設置対象Ｒの直径に合わせて嵌合凹部２２の径の大きさを調節可能な径調節部材２４と、を有している。
【００３０】
固定部材２３は、カバーケース２１の雄ネジ２１ｃが螺合される雌ネジ２３ａと、貫通孔２３ｂと、この貫通孔２３ｂに挿通されて固定部材１３の雌ネジ１３ａと螺合される雄ネジ２３ｃと、を有している（図２（ａ）、図３参照）。
【００３１】
径調節部材２４は、前述した径調節部材１４と同様の形状及び材質で形成されており、内周が小径に形成された内側調節部材２５と、この内側調節部材２５の外周に設けられる外側調節部材２６と、有している。
【００３２】
内側調節部材２５には、前述した内側調節部材１５と同様に、設置対象Ｒの外周面に当接される当接面２５ａと、外側調節部材２６に嵌合される凸部２５ｂと、が設けられている。この当接面２５ａが形成する円の内径は２０ｍｍ〜３０ｍｍであり、小径な設置対象Ｒに設置可能なよう構成されている。
【００３３】
外側調節部材２６には、前述した外側調節部材１６と同様に、設置対象Ｒの外周面又は内側調節部材２５の外周面に当接される当接面２６ａと、内側調節部材２５の凸部２５ｂが嵌り込む内側凹部２６ｂと、固定部材２３の内周部が嵌り込む外側凹部２６ｃと、が設けられている。この当接面２６ａが形成する円の内径は３５ｍｍ〜４５ｍｍであり、大径な設置対象Ｒに設置可能なよう構成されている。
【００３４】
また、嵌合凹部１２、２２の形状は、必ずしも半円弧状である必要は無く、設置対象Ｒを挟持可能な形状であれば良い。例えば、コ字型状、Ｌ字型状等を挙げることができる。
さらに、嵌合凹部１２、２２の何れか一方を円弧状及びコ字型状に形成し、もう一方を直線状に形成して、設置対象Ｒを挟み込むように構成しても良い。
【００３５】
また、液流通型装置としては、浄水器や気体溶解水発生器を用いることができ、特に好ましくは、炭酸泉製造装置を用いることができる。なお、液流通型装置に浄水器を採用する場合には、ガス注入口１ｂを設ける必要は無い。
【００３６】
本発明によれば、第１ケース部材１に設けられた嵌合凹部１２と、第２ケース部材２に設けられた嵌合凹部２２とで、設置対象Ｒを挟持して固定することができる。そのため、浴室内に予め設けられているスライドバー５や手摺に取り付けることができ、浴室の大規模な工事を行わずに、使用者の邪魔にならない位置に装置を設置することができる。
【００３７】
また、本発明によれば、嵌合凹部１２、２２が設置対象Ｒの軸方向に沿って少なくとも２つ以上設けられていることにより、安定的に固定することができる。すなわち、筐体Ａの２カ所を固定することにより、筐体Ａが設置対象Ｒの軸方向と平行に固定されるため、この設置対象Ｒの軸方向に直交する軸を中心に回転してしまうことを抑制することができる。その結果、より安定的に設置することができ、嵌合凹部１２、２２に掛かる負荷を低減させることができる。
【００３８】
また、本発明によれば、嵌合凹部１２、２２に径調節部材１４、２４が設けられていることにより、より簡単な構成で様々な直径の設置対象Ｒに固定する事ができる。
また、径調節部材１４、２４は、小径に形成された内側調節部材１５、２５と、前記内側調節部材１５、２５の外周に設けられる外側調節部材１６、２６と、を有し、これらが凹凸嵌合して接続することにより、内側調節部材１５、２５と外側調節部材１６、２６との接触面積を増やして、より安定的に固定することができる。
【００４４】
＜実施形態２＞
以下、本発明の実施形態２の液流通型装置の筐体Ｃ（以下、筐体Ｃともいう）について、図６及び図７を参照して詳細に説明する。この筐体Ｃは、実施形態２に係る液流通型装置の筐体Ｂとは異なる形状の台座部材４を備えることを特徴とする。なお、同実施形態において、先の実施形態と基本的に同一の構成要素については、同一の符号を付してその説明を簡略化する。
【００４５】
本実施形態に係る液流通型装置の筐体Ｃは、液流通型装置が内蔵された第１ケース部材１と、その第１ケース部材１に着脱可能に取り付けられる第２ケース部材２と、棒状部４３を有する台座部材４を備えている。
図６は、台座部材４の形状を示しており、図６（ａ）は斜視図を、図６（ｂ）は平面図を、図６（ｃ）は側面図を、図６（ｄ）は正面図をそれぞれ示している。
【００４６】
台座部材４は、板状部４１と、この板状部４１の両端に設けられる２つの立ち上り部４２と、この立ち上がり部４２、４２の間に橋架される棒状部４３と、を有している。この棒状部４３は、第１ケース部材１と第２ケース部材２とで挟持して固定することが可能なように構成されている。
図７は、台座部材４に第１ケース部材１を取付けた様子を示しており、図７（ａ）は斜視図を、図７（ｂ）は平面図を、図７（ｃ）は側面図を、図７（ｄ）は正面図をそれぞれ示している。
【００４７】
本実施形態によれば、台座部４に棒状部４３を設け、この棒状部４３に第１ケース部材１及び第２ケース部材２を取付けることによって、この台座部材４を浴室の壁Ｗや浴槽Ｂに固定した際に、台座部材４を取り外すことなく、第１ケース部材及び第２ケース部材を取り外すことができるよう構成することができる。すなわち、液流通型装置のメンテナンス等を行う際に、容易に装置の取り外し作業を行うことができる。
【符号の説明】
【００４８】
Ａ、Ｂ、Ｃ  液流通型装置の筐体
１          第１ケース部材
１ａ        液体注入口
１ｂ        ガス注入口
１ｃ        吐出口
１１        装置部ケース
１１ａ      開口部
１２、２２  嵌合凹部
１３、２３  固定部材
１４、２４  径調節部材
１５、２５  内側調節部材
１６、２６  外側調節部材
２          第２ケース部材
２１        カバーケース
２１ａ      開口部
２１ｂ      貫通孔
２１ｃ      雄ネジ
３、４      台座部材
３ａ        貫通孔
３１        嵌合凸部
４１        板状部
４２        立ち上がり部
４３        棒状部
５          スライドバー
５１        支持部
５２        シャワーハンガー
６          混合栓
６１        液送ホース
７          シャワーヘッド
７１        シャワーホース
８          ガス供給源
８１        気送ホース
Ｒ          設置対象
Ｍ          鏡
Ｗ          壁
Ｂ          浴槽
Ｆ          床
【図１】
0006551928.tif 000002
【図２】
0006551928.tif 000003
【図３】
0006551928.tif 000004
【図４】
0006551928.tif 000005
【図５】
0006551928.tif 000006
【図６】
0006551928.tif 000007
【図７】
0006551928.tif 000008